(57)【要約】【課題】本発明は、音声出力手段の位置を特定せず、使用者から見た画像が表示される位置と音が放射される位置とが同じである携帯情報端末のデザイン性を向上し、薄型化や小型化の実現に貢献するものである。【解決手段】本発明の携帯情報端末は、本体ケースに音声出力手段７と画像を表示する映像表示部６と、映像表示部６に表示された画像が透けて見え、音声出力手段７を覆っている部分は不透明であるように配置された透明パネル９を備え、映像表示部６と透明パネル９との間には密閉空間１１を有し、透明パネル９は音声出力手段７から密閉空間１１に伝達された音によって振動可能に構成したものである。【選択図】図１
2009246705.tif 000002
【特許請求の範囲】
【請求項１】
少なくともケースと、このケースに設けられた音声出力手段と映像表示部とパネルとからなる情報端末装置であって、前記情報端末装置は、前記音声出力手段と前記映像表示部とを覆うように前記パネルを配置し、前記パネルは前記音声出力手段を覆っている部分は不透明であり、前記映像表示部を覆っている部分は透明であるとともに、前記映像表示部および前記音声出力手段と前記パネルとの間に密閉空間を有し、前記パネルは、前記音声出力手段から前記密閉空間に伝達された音により振動可能なように構成された情報端末装置。
【請求項２】
音声出力手段は、ケースに形成された音孔を介し、パネルと反対側に取り付けられ、電気信号に応じて振動板を振動させることで音を放射する電気機械音響変換器による請求項１に記載の情報端末装置。
【請求項３】
音声出力手段は、パネルと反対側にケースと空間を有して取り付けられ、電気信号に応じて振動板を振動させることで音を放射する電気機械音響変換器により放射した音をケースに設けた電気機械音響変換器の振動板の面積より小さい音孔を介して音を放射する請求項１に記載の情報端末装置。
【請求項４】
ケースと電気機械音響変換器とを音響管で結合してなる請求項１に記載の情報端末装置。
【請求項５】
パネル外周部の下面とケースとの間に、パネルを支持する弾性体を備えた請求項１から請求項４のいずれか一つに記載の情報端末装置。
【請求項６】
パネルを平面形状とした請求項１から請求項５のいずれか一つに記載の情報端末装置。
【請求項７】
パネルを湾曲形状とした請求項１から請求項５のいずれか一つに記載の情報端末装置。
【発明の詳細な説明】
【技術分野】
【０００１】
本発明は、各種情報通信等に使用される携帯電話、ＰＤＡ、ゲーム機等の情報端末装置に関するものである。
【背景技術】
【０００２】
従来の技術を図７により説明する。図７は従来の技術を用いた情報端末装置（ここでは折畳み式携帯電話）の映像表示部６を有する上ケース２の断面図で、スピーカのフレーム１７の周縁部にパネル１８を結合し、このパネル１８に略平面状の第２の振動板２０を装着し、第１の振動板１９と第２の振動板２０の間を密閉空間２１にすることにより音響結合している。このスピーカシステムを情報端末装置のケース２の映像表示部６の前面に取り付けることで使用者から見た画像が表示される位置と音が放射される位置とが同じである情報端末装置を実現していた。密閉空間２１の中の２２は、第１の振動板１９と第２の振動板２０を繋ぎ、それぞれの位置関係を設定するための音道部である。また、上ケース２の内部には映像表示部６を制御する電子回路１０を有する。
【０００３】
現在、携帯電話に代表される情報端末装置はますます薄型化・小型化されている。更に液晶ディスプレイ等映像表示部の大型化に伴い、限られたスペースへのスピーカ等の音声出力手段の配置が困難となってきた。
【０００４】
尚、この出願の発明に関する先行技術文献情報としては、例えば特許文献１が知られている。
【特許文献１】特許第３７６３５７０号公報
【発明の開示】
【発明が解決しようとする課題】
【０００５】
しかし、従来の構成では液晶ディスプレイ等映像表示部の上面にパネル１８等の部品が実装されることで、映像表示部で表示された映像をパネル１８および、第２の振動板２０を介して使用者が見ることとなり視認性が劣化するとともに、情報端末装置の厚さ方向に部品点数が増加するため、薄型化が進む情報端末装置において実装が困難であるという課題を有するものであった。
【課題を解決するための手段】
【０００６】
本発明では、映像表示部の前面に配置されているパネル１８を削除し、上ケース２と音声出力手段、映像表示部と第２の振動板で密閉空間を形成することで、情報端末装置の小型化や薄型化を実現することを目的とする。
【０００７】
よって本発明は、ケースと、このケースに設けられた音声出力手段と映像表示部とパネルとからなる情報端末装置であって、この情報端末装置は、音声出力手段と映像表示部とを覆うようにパネルを配置し、このパネルは音声出力手段を覆っている部分は不透明であり、映像表示部を覆っている部分は透明であるとともに、映像表示部および音声出力手段とパネルとの間に密閉空間を有し、パネルは音声出力手段から密閉空間に伝達された音により振動可能なように構成され、この構成により上記目的が達成される。
【発明の効果】
【０００８】
以上のように、本発明は音声出力手段から伝達された音により映像表示部に表示された画像を透過する透明パネルを振動させ放音することができるように構成されている。
【０００９】
またこの透明パネルは映像表示部を保護する為の保護パネルを共用することができる。
【００１０】
この構成により、情報端末装置の小型化や薄型化を実現させることができる。
【発明を実施するための最良の形態】
【００１１】
以下に本発明の実施の形態について図面を用いて説明する。
【００１２】
（実施の形態１）
以下、実施の形態１を用いて、本発明の特に請求項１、請求項２および請求項６に記載の発明について図１および図２を用いて説明する。
【００１３】
まず図２について説明する。本発明の実施の形態１における情報端末装置（ここでは折畳み式携帯電話）を示す正面図であり、情報端末装置を折畳んだ状態から開いた状態を示す。
【００１４】
図２において、情報端末装置１は、上ケース２と下ケース３とを連結部４を介して連結した本体ケース５からなる。この本体ケース５を構成する上ケース２は、その前面に設けた略長方形の映像表示部６と、音声出力手段７（図１に示す）とを備える。下ケース３は各種スイッチ等により構成される操作部８を備える。
【００１５】
図１は、本発明の実施の形態１の情報端末装置の上ケースの断面図（図２のＡ−Ａ’断面）である。
【００１６】
図１において、情報端末装置は、上ケース２の前面に映像表示部６と音声出力手段７とを有し、その上面に透明パネル９を有する。この透明パネル９は薄型化を目的として平面で形成されている。この透明パネル９の一部にはデザインとしての模様等が描かれていてもよい。
【００１７】
上ケース２の内部には映像表示部６を制御する電子回路１０を有する。
【００１８】
音声出力手段７は、上ケース２に形成された音孔を介し、透明パネル９と反対側に取り付けられ、電気信号に応じて振動板を振動させることで音を放射する電気機械音響変換器により構成されている。
【００１９】
このとき、上ケースに取り付けられた映像表示部６と音声出力手段７とを覆うように密閉空間１１を有し透明パネル９が上ケース２に接着層１６を介して取り付けられ、音声出力手段７から密閉空間１１へ放出された音により透明パネル９が振動し放音するように構成されている。このとき、透明パネル９の音声出力手段７を覆っている部分のみを塗装や印刷等の手段により不透明にすることで、本来外観上使用者に見せる必要のない音声出力手段７を隠し、この不透明部分をデザインの一部として使用することができる。なお、密閉空間１１は略密閉であってもよい。すなわち、多少の空気漏れがあっても動作に支障はない。
【００２０】
また、映像表示部６には映像表示部６に表示された操作メニューアイコンに関連する映像表示部６の位置への接触手段の接触を検出するタッチパネルを兼用してもよい。これにより、音声出力手段７の位置が特定されず、使用者から見た画像が表示される位置と音が放射される位置とが同じとなり、情報端末装置のデザイン自由度を向上させるとともに、情報端末装置の小型化や薄型化を実現させることができる。
【００２１】
（実施の形態２）
以下、実施の形態２を用いて、本発明の特に請求項３に記載の発明について説明する。
【００２２】
図３は本発明の実施の形態１の情報端末装置１の上ケース２の要部断面図である。
【００２３】
図３において、実施の形態１と異なる部分についてのみ説明すると、上ケース２の内側に電気機械音響変換器７を備え、上ケース２に設けた音孔１３を介して密閉空間１１へ音を伝達し透明パネル９が振動し放音するように構成されている。
【００２４】
これにより電気機械音響変換器７から出た音と、音孔１３と密閉空間１１を利用し音質を調整することが可能となり、小型化や薄型化された情報端末装置の高音質化を実現することができる。
【００２５】
（実施の形態３）
以下、実施の形態３を用いて、本発明の特に請求項４に記載の発明について説明する。
【００２６】
図４は本発明の実施の形態１の情報端末装置１の上ケース２の要部断面図である。
【００２７】
図４において、実施の形態１と異なる部分についてのみ説明すると、上ケース２の内側に電気機械音響変換器７を備え、上ケース２に接続された音響管１４を介し密閉空間１１へ音を伝達し透明パネル９が振動し放音するように構成されている。
【００２８】
これにより電気機械音響変換器７を映像表示部６と水平方向に並べて配置するのではなく、重ねて配置することができ、限られた情報端末装置の中で映像表示部を最大限大型化することができ、低コストで、使用者から見た画像が表示される位置と音が放射される位置とが同じであり、情報端末装置のデザイン自由度向上を実現させることができる。
【００２９】
（実施の形態４）
以下、実施の形態４を用いて、本発明の特に請求項５に記載の発明について説明する。
【００３０】
図５は本発明の実施の形態１の情報端末装置１の上ケース２の要部断面図である。
【００３１】
図５において、実施の形態１から実施の形態３と異なる部分についてのみ説明すると、透明パネル９は上ケース２に対して弾性体１５を介して取り付けられ構成されている。
【００３２】
これにより、音を放射する透明パネル９の固有共振周波数を低下させることができ、音声出力手段の音質を忠実に再現することができ、情報端末装置における高音質化を実現することができる。
【００３３】
（実施の形態５）
以下、実施の形態５を用いて、本発明の特に請求項７に記載の発明について説明する。
【００３４】
図６は本発明の実施の形態１の情報端末装置１の上ケース２の要部断面図である。
【００３５】
図６において、実施の形態１と異なる部分についてのみ説明すると、透明パネル９は湾曲形状に形成され構成されている。
【００３６】
これにより全体的に丸みを帯びたデザインに対しても情報端末装置のデザイン性を損なうことなく、小型化や薄型化が可能となり更なるデザイン自由度向上を実現させることができる。
【産業上の利用可能性】
【００３７】
本発明は、音声出力手段の位置を特定せず、使用者から見た画像が表示される位置と音が放射される位置とが同じである携帯情報端末のデザイン性を向上し、薄型化や小型化の実現に貢献するものである。
【図面の簡単な説明】
【００３８】
【図１】本発明の実施の形態１の情報端末装置の上ケースの要部断面図
【図２】本発明の実施の形態１における情報端末装置を示す正面図
【図３】本発明の実施の形態２の情報端末装置の上ケースの要部断面図
【図４】本発明の実施の形態３の情報端末装置の上ケースの要部断面図
【図５】本発明の実施の形態４の情報端末装置の上ケースの要部断面図
【図６】本発明の実施の形態５の情報端末装置の上ケースの要部断面図
【図７】従来の情報端末装置の上ケースを示す断面図
【符号の説明】
【００３９】
１  情報端末装置
２  上ケース
３  下ケース
４  連結部
５  本体ケース
６  映像表示部
７  音声出力手段（電気機械音響変換器）
８  操作部
９  透明パネル
１０  電子回路
１１  密閉空間
１３  音孔
１４  音響管
１５  弾性体
１６  接着層
１７  フレーム
１８  パネル
１９  第１の振動板
２０  第２の振動板
２１  密閉空間
２２  音道部
【図１】
2009246705.tif 000003
【図２】
2009246705.tif 000004
【図３】
2009246705.tif 000005
【図４】
2009246705.tif 000006
【図５】
2009246705.tif 000007
【図６】
2009246705.tif 000008
【図７】
2009246705.tif 000009